【手続補正書】
【提出日】平成16年8月16日(2004.8.16)
【手続補正１】
【補正対象書類名】明細書
【補正対象項目名】全文
【補正方法】変更
【補正の内容】
【書類名】      明細書
【発明の名称】  パチンコ機の入賞装置
【特許請求の範囲】
【請求項１】  パチンコ機の遊技盤に設けられかつ入賞口を有する入賞装置において、
前記入賞口に入った所定数以下の遊技球を停留することができる停留部を具備し、
前記停留部に前記所定数の遊技球が停留された場合に、前記停留部に停留された前記所定数の遊技球によって、他の遊技球が前記入賞口に進入することが阻止されるように構成され、
大当たり状態にて前記停留部に前記所定数の遊技球が停留された状態において、
前記大当たり状態が解除されたときに、前記停留部に停留された前記所定数の遊技球のうち少なくとも１個の遊技球が前記停留部の開口部から特定領域に落下し、その他の停留部に停留された遊技球が前記特定領域以外に落下ように構成されていることを特徴とするパチンコ機の入賞装置。
【請求項２】
請求項１に記載のパチンコ機の入賞装置であって、
停留部の前面が透明であることを特徴とするパチンコ機の入賞装置。
【発明の詳細な説明】
【０００１】
【発明の属する技術分野】
本発明は、パチンコ機の入賞装置に関し、特に入賞球数を確実に所定値以下にすることができる入賞装置に関するものである。
【０００２】
【従来の技術】
従来のパチンコ機において、アタッカー等の扉を開閉させるタイプの入賞装置が設けられている。このタイプの入賞装置は、入賞球のカウントスイッチを備え、例えば１０個の球が入賞したら扉を閉じるというものである。
【０００３】
【発明が解決しようとする課題】
しかし、上述の従来例では、１０個目の球と同時に１１個目の球が入賞してしまったり、１０個目の球が入賞した後、扉が閉じるまでの間に他の球が入賞してしまい、入賞球を所定数に抑えることが困難であった。
したがって、本願発明の目的は、上述の従来例の欠点をなくし、入賞球の数を確実に所定数に抑えることができるパチンコ機の入賞装置を提供することである。
【０００４】
【課題を解決するための手段】
上記課題を解決するため、本願の第１の発明に係るパチンコ機は、パチンコ機の遊技盤に設けられかつ入賞口を有する入賞装置において、
前記入賞口に入った所定数以下の遊技球を停留することができる停留部を具備し、
前記停留部に前記所定数の遊技球が停留された場合に、前記停留部に停留された前記所定数の遊技球によって、他の遊技球が前記入賞口に進入することが阻止されるように構成され、
大当たり状態にて前記停留部に前記所定数の遊技球が停留された状態において、
前記大当たり状態が解除されたときに、前記停留部に停留された前記所定数の遊技球のうち少なくとも１個の遊技球が前記停留部の開口部から特定領域に落下し、その他の停留部に停留された遊技球が前記特定領域以外に落下ように構成されていることを特徴とする。
【０００５】
上記第１の発明の構成により、パチンコ機の入賞装置の入賞口に所定数の遊技球が入ると、該所定数の遊技球が入賞装置の停留部に停留され、前記所定数の遊技球以外の遊技球が前記入賞口から前記停留部に入ることが前記停留部に停留された前記所定数の遊技球により阻止される。
更に、大当たり状態にて前記停留部に停留された前記所定数の遊技球のうち少なくとも１個の遊技球が、前記大当たり状態が解除されたときに前記停留部の開口部から特定領域に落下することにより、遊技者に利益ある入賞条件を作りだすことができる。
【０００６】
第２の発明に係るパチンコ機は、請求項１に記載のパチンコ機の入賞装置であって、
停留部の前面が透明であることを特徴とする。
【０００７】
上記第２の発明の構成により、停留部の前面が透明であるので、遊技者が停留部に停留された遊技球数を視覚により確認することができる。
【０００８】
【発明の実施の形態】
図１は本願発明の実施の形態に係わるパチンコ機の遊技盤を示し、図２は該実施の形態の入賞装置を示している。なお、図２（ａ）は該入賞装置の平面を示し、図２（ｂ）は該入賞装置の正面を示している。図３（ａ）は図２（ｂ）のＡ−Ａ断面構造を示し、図３（ｂ）は図２（ｂ）のＢ−Ｂ断面構造を示している。図４は該入賞装置の概略の斜視図を示し、図５（ａ）は通常の状態の該入賞装置の動作を示し、図５（ｂ）は大当たり状態の該入賞装置の動作を示している。
図１に示すパチンコ機１において、遊技盤２がレール３により区画されている。なお、２ａは遊技盤２の入口である。図柄の可変表示装置４は遊技盤２のほぼ中央に配設され、図柄表示部４ａ及びカウント数表示部４ｂを有している。
１種始動口５は遊技盤２において図柄表示装置４の下方に配設され、アウト口６は遊技盤２の最下部に形成されている。
【０００９】
入賞装置１０は、遊技盤２において１種始動口５の下方に配設されている。入賞装置１０の主要部は、上側固定部２０及び可動部３０である。
取付パネル１１に複数の取付用孔１１ａが形成され、取付パネル１１は該孔１１ａを介してねじ１１ｃにより遊技盤２に取り付けられている。
上側固定部２０は取付パネル１１に固定されている。なお上側固定部２０は取付パネル１１と一体に形成されてもよい。上側固定部２０の上面２１の上端２１ａから下端２１ｂは取付パネル１１及び透明な前面ガラス板８（図３参照）と共同して遊技球５１の誘導路を形成し、上面２１の下端２１ｂに孔２２が形成されている。
【００１０】
取付パネル１１の裏側に支柱４３ａ，４３ｂによりフレーム４４が固定されている。ソレノイド４５のケース４５ａはフレーム４４に固定され、ソレノイド４５の軸４５ｂの先端に金具４５ｃが取り付けられている。この金具４５ｃは可動部３０の裏面に固定されている。なお、大当たり状態の時にソレノイド４５が通電され軸４５ｂがケース４５ａから外方に押し出され、大当たり状態が解除されたときに通電が停止されソレノイド４５内部に配設されたばねにより軸４５ｂがケース４５ａ側に吸引される。
後述する球通路４７の外面及びガイド４６は、前記ソレノイド４５による可動部３０の移動のガイドとなる。
可動部３０は図２に示すように通常の状態（大当たり状態以外の状態）にて取付パネル１１の内側に位置している。このとき、可動部３０の透明な前面３３は取付パネル１１の開口部１１ｂとほぼ同じ位置にある。
【００１１】
可動部３０は、筒状の停留部３２を有している。可動部３０の開口部３１ａから入賞球５１ａが停留部３２に落下して停留される。球検出スイッチ３６は開口部３１ａを通過する入賞球５１ａを検出する近接スイッチであり、３６ａは球検出スイッチ３６の端子である。
停留部３２の先端３２ａは開口した側面３４であり（図５（ｂ）参照）、大当たり状態では開口した側面３４は側面支持板４２により塞がれている。また、可動部３０の底面３５のうち凹部３５ａは下側支持板４１に支えられている。停留部３２のうち凹部３５ａに相当する部分に開口部３１ｂが形成されている（図３（ｂ）参照）。該開口部３１ｂは大当たり状態では下側支持板４１により塞がれている。球検出スイッチ１２は開口部３１ｂを通過して特定領域１３に落下する入賞球５１ａを検出する近接スイッチであり、１２ａは球検出スイッチ１２の端子である。
【００１２】
以上の構成により、１種始動口５に遊技球５１が入賞すると、可変表示装置４が変動を開始する。可変表示装置４の表示が特定態様（７７７等の表示）で停止すると、「大当たり」状態となり、入賞装置１０が作動する。
入賞装置１０が作動状態では、ソレノイド４５の作動により、可動部３０が取付パネル１１の開口部１１ｂから矢印３７の方向に移動する。図５（ａ）は移動前の状態を示し、図５（ｂ）は移動後の状態を示している。なお、図３（ａ）、（ｂ）において二点鎖線で示す可動部３０は前記移動後の状態である。
【００１３】
図５（ｂ）の状態で、入賞装置１０の入賞口となる孔２２及び開口部３１ａを通過する遊技球（入賞球）５１ａの数は球検出スイッチ３６により検出され、可変表示装置４のカウント数表示部４ｂで表示される。入賞装置１０に所定数（例えば図５（ｂ）では７個）の入賞球５１ａが入賞すると、該所定数の入賞球５１ａが入賞装置１０の停留部３２に停留され、前記所定数以外の遊技球５１が入賞装置１０に入賞することが該停留部３２に停留された前記所定数の入賞球５１ａにより阻止される。この結果、前記所定数を越える数の遊技球５１が入賞装置１０に入賞することを確実に阻止することができる。
【００１４】
次に、前記所定数の入賞球５１ａが前記球検出スイッチ３６により検出されたとき又は大当たり状態で所定時間（例えば３０秒）経過したときに前記大当たり状態が解除されて通常の状態になる。
この通常の状態になると、ソレノイド４５の通電が停止されるので、可動部３０は前記矢印３７の方向と逆の方向に移動し、図５（ａ）の状態になる。このとき、前記所定数の入賞球５１ａが停留部３２に停留されている場合には、そのうち少なくとも１個の入賞球５１ａが開口部３１ｂから特定領域１３に落下するので、この特定領域１３に落下する入賞球５１ａを球検出スイッチ１２が検出し、遊技者に利益ある入賞条件（例えば１６ラウンド（回）を限度として、再び大当たり状態になること）を作りだすことができる。
なお、入賞球５１ａのうち前記特定領域１３に落下しない入賞球５１ａは開口した側面３４から球通路４７内に落下する。また、前記特定領域１３に落下した入賞球５１ａ及び前記球通路４７内に落下した入賞球５１ａの数に応じた賞球が賞球払出し装置から払い出される。
更に、前記停留部３２の前面３３が透明であるので、遊技者が停留部３２に停留された入賞球５１ａを視覚により確認することができる。
【００１５】
【発明の効果】
本願の第１の発明に係わるパチンコ機の入賞装置によれば、パチンコ機の入賞装置の入賞口に所定数の遊技球が入ると、該所定数の遊技球が入賞装置の停留部に停留され、前記所定数以外の遊技球が前記入賞口に入ることが前記停留部に停留された前記所定数の遊技球により阻止される。この結果、前記所定数を越える数の遊技球が前記入賞口に入ることを確実に阻止することができる。
更に、大当たり状態にて前記停留部に停留された前記所定数の遊技球のうち少なくとも１個の遊技球が、前記大当たり状態が解除されたときに、特定領域に落下することにより、前記大当たり状態を繰り返す等の遊技者に利益ある入賞条件を作りだすことができる。
【００１６】
第２の発明に係わるパチンコ機の入賞装置によれば、停留部の前面が透明であるので、遊技者が停留部に停留された遊技球数を視覚により確認することができる。このため、遊技者のパチンコ遊技に対する興味を増すことができる。
【図面の簡単な説明】
【図１】
本願発明の実施の形態の入賞装置が組み込まれたパチンコ機の遊技盤の正面図である。
【図２】
該実施の形態に係わる入賞装置の説明図である。
【図３】
図２に示す入賞装置の断面図である。
【図４】
図２に示す入賞装置の概略の斜視図である。
【図５】
図２に示す入賞装置の動作を示す斜視図である。
【符号の説明】
１  パチンコ機
２  遊技盤
１０  入賞装置
１３  特定領域
２０  上側固定部
２２  上側固定部の孔
３０  可動部
３１ａ、３１ｂ  可動部の開口部
３２  可動部の停留部
３３  可動部の前面
５１  遊技球
５１ａ  入賞球